(57)【要約】【課題】光ディスクの立ち上げ時間を短縮することが可能であり、ユーザにかかる種別指定作業の負担を軽減することが可能な光ディスク装置を提供する。【解決手段】光ディスク情報受付部が、光ディスクドライブに装着された光ディスクの種別及び記録状態を外部より受け付ける。ディスク情報受付部は受け付けた光ディスク情報を、メモリ等の記録部に一時的に記録する。そしてマイクロコンピュータが、ドライブ制御部に対してスピンアップコマンドを送信する際に、スピンアップコマンドの内部に光ディスク情報を含めて送信する。スピンアップコマンドを受け付けたドライブ制御部は、スピンアップコマンドより抽出した光ディスク情報を用いて、光ディスクドライブに装着されている光ディスクの種別及び記録状態を確定して、光ディスクの立ち上げ処理、記録処理、或いは再生処理等の各種処理を行う。【選択図】図２
2008140495.tif 000002
【特許請求の範囲】
【請求項１】
マイクロコンピュータ及び記録部と、
光ディスクを駆動して光ディスクに対する情報の読み取り及び／若しくは書き込みを行う光ディスクドライブと、
前記光ディスクドライブの制御を行うドライブ制御部と、
指示コードを送信するリモコン装置と、
前記指示コードを受信するリモコン受信部と、
を備えた光ディスク装置であって、
前記光ディスクドライブに装着された光ディスクの種別及び／若しくは記録状態を示す光ディスク情報を受け付ける光ディスク情報受付部を備え、
前記リモコン装置が、前記光ディスク情報の内容を指定するためのスイッチ群を備え、前記スイッチ群により指定された前記光ディスク情報を前記指示コードに含めて送信し、
前記指示コードを受信した前記リモコン受信部が、前記指示コードに含まれる前記光ディスク情報を抽出して前記光ディスク情報受付部に与え、
前記光ディスク情報を与えられた前記光ディスク情報受付部が、前記光ディスク情報を前記記録部に記録し、
前記マイクロコンピュータが、光ディスクに対する読み取り若しくは書き込みを可能な状態にするためのスピンアップコマンドを前記ドライブ制御部に対して与える際に、前記記録部より前記光ディスク情報を読み出し、前記光ディスク情報を前記スピンアップコマンドに含めて前記ドライブ制御部へ与え、
前記スピンアップコマンドを与えられた前記ドライブ制御部が、前記スピンアップコマンドより抽出した前記光ディスク情報と、光ディスクのＬｅａｄ−ｉｎ領域より読み出した前記光ディスク情報とが一致するかを判定し、
一致すると判定された場合において、前記ドライブ制御部が、一致した前記光ディスク情報に基づいて前記光ディスクドライブの制御を行い、
一致しないと判定された場合において、前記ドライブ制御部が、光ディスクの反射率、サイズ、或いは記録形状をもとに前記光ディスク情報を特定し、特定した前記光ディスク情報と前記Ｌｅａｄ−ｉｎ領域より読み出した前記光ディスク情報とに基づいて前記光ディスクドライブの制御を行うこと
を特徴とする光ディスク装置。
【請求項２】
光ディスクを駆動して光ディスクに対する情報の読み取り及び／若しくは書き込みを行う光ディスク駆動手段と、
前記光ディスク駆動手段の制御を行う駆動制御手段と、
を備えた光ディスク装置であって、
前記光ディスク駆動手段に装着された光ディスクの種別及び／若しくは記録状態を示す光ディスク情報を受け付け、受け付けた前記光ディスク情報を前記駆動制御手段に与える光ディスク情報受付手段を備え、
前記光ディスク情報を与えられた前記駆動制御手段が、前記光ディスク情報に基づいて前記光ディスク駆動手段の制御を行うこと、
を特徴とする光ディスク装置。
【請求項３】
マイクロコンピュータ及び記録部を備え、
前記光ディスク情報受付手段が、受け付けた前記光ディスク情報を前記記録部に記録し、
前記マイクロコンピュータが、光ディスクに対する読み取り若しくは書き込みを可能な状態にするための開始指示信号を前記駆動制御手段に対して与える際に、前記記録部より読み出した前記光ディスク情報を前記開始指示信号に含めて前記駆動制御手段に与え、
前記開始指示信号を与えられた前記駆動制御手段が、前記開始指示信号より抽出した前記光ディスク情報に基づいて前記光ディスク駆動手段の制御を行うこと、
を特徴とする請求項２に記載の光ディスク装置。
【請求項４】
指示コードを送信するリモコン装置及び前記指示コードを受信するリモコン受信手段を備え、
前記リモコン装置が、前記光ディスク情報の内容を指定するためのスイッチ群を備え、前記スイッチ群により指定された前記光ディスク情報を前記指示コードに含めて送信し、
前記指示コードを受信した前記リモコン受信手段が、前記指示コードに含まれる前記光ディスク情報を抽出して前記ディスク情報受付手段に与えること
を特徴とする請求項２または請求項３に記載の光ディスク装置。
【請求項５】
前記駆動制御手段が、前記光ディスク情報受付手段より与えられた或いは前記開始指示信号より抽出した前記光ディスク情報と、光ディスクの管理情報記録領域より読み出した前記光ディスク情報とが一致するかを判定し、
一致すると判定された場合において、前記駆動制御手段が、一致した前記光ディスク情報に基づいて前記光ディスク駆動手段の制御を行い、
一致しないと判定された場合において、前記駆動制御手段が、光ディスクの反射率、サイズ、或いは記録形状をもとに前記光ディスク情報を特定し、特定した前記光ディスク情報と前記管理情報記録領域より読み出した前記光ディスク情報とに基づいて前記光ディスク駆動手段の制御を行うこと
を特徴とする請求項２〜請求項４のいずれかに記載の光ディスク装置。
【発明の詳細な説明】
【技術分野】
【０００１】
本発明は、ＣＤ、ＤＶＤ、或いはＢＤ等の光ディスクに対して情報の読み取り及び／若しくは書き込みを行う光ディスク装置に関するものであり、特に光ディスクの種別及び記録状態の判別処理の時間短縮に係る機能を備えた光ディスク装置に関する。
【背景技術】
【０００２】
近年、テレビ等の画像装置において処理される動画或いは音声の記録及び再生を行うための装置として、ＤＶＤ（Digital Versatile Disk）レコーダ／プレーヤ、またはＢＤ（Blu-ray Disc）レコーダ／プレーヤ等のデジタル方式による光ディスク装置が普及している。これらの光ディスク装置は、ユーザから各種指示を受け付け、その指示に応じた処理（例えばＤＶＤへの記録処理等）を実行する。この際、各種処理を実行する前に、予め光ディスク装置に装着されている光ディスクの種別を判別する必要がある。
【０００３】
上記のような判別処理は通常、光ディスクが光ディスク装置に装着された際に行われるのが一般的である。しかしながら近年、ディスク種別の増加に伴い、判別処理の内容が複雑化する傾向がある。処理が複雑化すれば、それだけ判別処理時間、ひいてはユーザの待ち時間が増加することとなる。
【０００４】
また判別処理においては、例えば光ディスクの品質が低いことによりディスク種別が誤って判別される可能性がある。この場合、その後のサーボ調整や管理情報の取得処理において初めてディスク種別の判別が誤っていたことが分かる。従って判別処理を最初からやり直すこととなるため、データの記録再生処理を開始するまでの立ち上げ（＝マウント処理）に時間がかかるという問題があった。
【０００５】
上記の問題に関連して特許文献１には、ユーザ指定された光ディスクの種別情報を用いて、立ち上げ時におけるディスク種別の判別処理を行うことにより、判別処理を正確に行うと共に簡略化し、データ記録再生処理を開始するまでの立ち上げ時間（＝マウント時間）を短縮した光ディスク装置が開示されている。
【０００６】
特許文献１の光ディスク装置は、種類特定手段により、装着した光ディスクの種類をユーザが特定すると、起動手段では、種類特定手段を介してユーザが特定したディスク種別に基づく装置設定で光ディスクを起動する。判別手段では、起動手段による光ディスク起動により読み出された情報に基づきユーザ特定のディスク種別の正否を判別する。
【０００７】
このように、ユーザ指定された光ディスクの種別情報を用いて立ち上げ時におけるディスク種別の判別処理を行うことにより、ディスク種別の判別を正確に行うと共に、ディスク種別の判別処理を省略することができ、データ記録再生処理を開始するまでの立ち上げ時間を短縮する。
【０００８】
また上記の問題に関連して特許文献２では、光ディスクを正確かつ短時間でマウントすることができる光ディスク装置が開示されている。特許文献２の光ディスク装置は、光ピックアップの出力信号に基づいて光ディスクの種類を判別する種類判別手段と、種類判別手段によって判別された光ディスクの種類を表示する表示手段と、ユーザが光ディスクの種類を入力する入力手段とを備えている。
【０００９】
ユーザによって光ディスクの種類が入力されない場合は、種類判別手段によって判別された光ディスクの種類に応じてマウント動作を行う。逆にユーザによって光ディスクの種類が入力された場合は、入力された光ディスクの種類に応じてマウント動作を行なう。
【特許文献１】特開２００３−１７８４４５号公報
【特許文献２】特開２００６−０１８９６８号公報
【発明の開示】
【発明が解決しようとする課題】
【００１０】
しかしながら、上記特許文献１及び特許文献２に開示されている装置においては、ユーザからの指定によりディスク種別の判別処理を簡略化することは可能であったが、光ディスクの記録状態の判別、例えばブランクディスクであるか、或いはファイナライズを施した光ディスクであるか等の判別は、従来通りの処理を行わねばならなかった。
【００１１】
なお、ここで言うファイナライズとは、ＣＤ−ＲやＤＶＤ−Ｒ等などの追記型光ディスクに記録したデータを他の再生装置、例えばディスクプレーヤー等でも再生できるようにするための最終処理を指す。例えばＤＶＤ−Ｖｉｄｅｏ形式で記録しているＤＶＤ−Ｒ／ＤＶＤ−ＲＷディスクであれば、映像が終了したという目印（＝ボーダーアウト）を書き込む。
【００１２】
ボーダーアウトが書き込まれたＤＶＤ−Ｒ／ＤＶＤ−ＲＷは、ほとんどのＤＶＤプレーヤで再生が可能となる。逆にファイナライズをしていない光ディスクは通常、記録を行った記録装置でなければ再生できない。またファイナライズ後は、光ディスクに空き容量が残っていたとしても、一切の記録ができなくなる。
【００１３】
以上のような記録状態の判別処理は通常、データ記録再生処理を開始するまでの立ち上げ時間において行われる。従って上記判別処理を行う限り、立ち上げ時間の短縮に限界があるという問題があった。また、ユーザは光ディスクが光ディスク装置に装着される度にディスク種別を光ディスク装置に対して指定せねばならず、ユーザにかかる作業負担が増加するという問題があった。
【００１４】
以上の点を鑑みて、本発明の目的は、光ディスクを光ディスク装置に装着してからデータ記録再生処理を開始するまでの立ち上げ時間を、従来のディスク種別指定型光ディスク装置よりもさらに短縮することが可能であり、かつユーザにかかる種別指定作業の負担を軽減することが可能な光ディスク装置を提供することにある。
【課題を解決するための手段】
【００１５】
上記目的を達成するために本発明の光ディスク装置は、マイクロコンピュータ及び記録部と、光ディスクを駆動して光ディスクに対する情報の読み取り及び／若しくは書き込みを行う光ディスクドライブと、前記光ディスクドライブの制御を行うドライブ制御部と、指示コードを送信するリモコン装置と、前記指示コードを受信するリモコン受信部とを備えた光ディスク装置であって、前記光ディスクドライブに装着された光ディスクの種別及び／若しくは記録状態を示す光ディスク情報を受け付ける光ディスク情報受付部を備え、前記リモコン装置が、前記光ディスク情報の内容を指定するためのスイッチ群を備え、前記スイッチ群により指定された前記光ディスク情報を前記指示コードに含めて送信し、前記指示コードを受信した前記リモコン受信部が、前記指示コードに含まれる前記光ディスク情報を抽出して前記光ディスク情報受付部に与え、前記光ディスク情報を与えられた前記光ディスク情報受付部が、前記光ディスク情報を前記記録部に記録し、前記マイクロコンピュータが、光ディスクに対する読み取り若しくは書き込みを可能な状態にするためのスピンアップコマンドを前記ドライブ制御部に対して与える際に、前記記録部より前記光ディスク情報を読み出し、前記光ディスク情報を前記スピンアップコマンドに含めて前記ドライブ制御部へ与え、前記スピンアップコマンドを与えられた前記ドライブ制御部が、前記スピンアップコマンドより抽出した前記光ディスク情報と、光ディスクのＬｅａｄ−ｉｎ領域より読み出した前記光ディスク情報とが一致するかを判定し、一致すると判定された場合において、前記ドライブ制御部が、一致した前記光ディスク情報に基づいて前記光ディスクドライブの制御を行い、一致しないと判定された場合において、前記ドライブ制御部が、光ディスクの反射率、サイズ、或いは記録形状をもとに前記光ディスク情報を特定し、特定した前記光ディスク情報と前記Ｌｅａｄ−ｉｎ領域より読み出した前記光ディスク情報とに基づいて前記光ディスクドライブの制御を行うことを特徴としている。
【００１６】
これによると、光ディスク情報受付部が、光ディスクドライブに装着された光ディスクの種別及び記録状態を示すディスク情報を外部より受け付ける。例えば、ユーザが操作ボタン群を操作することにより発行された種別指定コマンドや、リモコンコードに含まれる種別指定パラメータ等を受け付ける。これを実現するため、光ディスク装置が備えるリモコン装置は、光ディスクの種別及び記録状態を指定するためのスイッチ群を備えている。ユーザはこのスイッチ群を操作することにより、光ディスクの種別及び記録状態を指定して光ディスク情報の内容を決定する。
【００１７】
決定された光ディスク情報は、光ディスク指定パラメータとしてリモコンコードに格納されて、光ディスク装置のリモコン受信部に送信される。リモコン受信部は、受信したリモコンコードに含まれる光ディスク指定パラメータより光ディスク情報を取得してディスク情報受付部に与える。光ディスク情報を与えられたディスク情報受付部は、光ディスク情報をメモリ等の記録部に一時的に記録する。
【００１８】
そしてマイクロコンピュータが、ドライブ制御部に対してスピンアップコマンドを送信する際に、スピンアップコマンドの内部に光ディスク情報を含めて送信する。スピンアップコマンドを受けたドライブ制御部は、スピンアップコマンドより抽出した光ディスク情報を用いて、光ディスクドライブに装着されている光ディスクの種別及び記録状態を確定して、光ディスクの立ち上げ処理、記録処理、或いは再生処理等の各種処理を行う。
【００１９】
またドライブ制御部は、スピンアップコマンドを受けた際に、情報受付部により取得された光ディスク情報と、ドライブ制御部が光ディスクのＬｅａｄ−ｉｎ領域より読み出した光ディスク情報とを比較し、光ディスク情報が一致するかどうかの判定を行う。一致する場合は、一致した光ディスク情報を用いてその後の制御、例えばデータ読み込み処理等を行う。一致しない場合は、光ディスクの反射率、サイズ、或いは記録形状等をもとに光ディスク情報を特定する。そして特定した光ディスク情報と、Ｌｅａｄ−ｉｎ領域より読み出した光ディスク情報とが一致するまで、光ディスク情報の取得処理を所定回数だけ繰り返して行う。
【００２０】
また上記目的を達成するために本発明の光ディスク装置は、光ディスクを駆動して光ディスクに対する情報の読み取り及び／若しくは書き込みを行う光ディスク駆動手段と、前記光ディスク駆動手段の制御を行う駆動制御手段とを備えた光ディスク装置であって、前記光ディスク駆動手段に装着された光ディスクの種別及び／若しくは記録状態を示す光ディスク情報を受け付け、受け付けた前記光ディスク情報を前記駆動制御手段に与える光ディスク情報受付手段を備え、前記光ディスク情報を与えられた前記駆動制御手段が、前記光ディスク情報に基づいて前記光ディスク駆動手段の制御を行うことを特徴としている。
【００２１】
これによると、光ディスク情報受付部（＝光ディスク情報受付手段）が、光ディスクドライブ（＝光ディスク駆動手段）に装着された光ディスクの種別及び記録状態（＝光ディスク情報）を外部より受け付ける。例えば、ユーザが操作ボタン群を操作することにより発行された種別指定コマンドや、リモコンコードに含まれる種別指定パラメータ等を受け付ける。受け付けた光ディスク情報は、ドライブ制御部（＝駆動制御手段）に対して送信される。ドライブ制御部は、受信した光ディスク情報を用いて、光ディスクドライブ（＝光ディスク駆動手段）に装着されている光ディスクの種別及び記録状態を確定して、光ディスクの立ち上げ処理、記録処理、或いは再生処理等の各種処理を行う。
【００２２】
また上記目的を達成するために本発明の光ディスク装置は、マイクロコンピュータ及び記録部を備え、前記光ディスク情報受付手段が、受け付けた前記光ディスク情報を前記記録部に記録し、前記マイクロコンピュータが、光ディスクに対する読み取り若しくは書き込みを可能な状態にするための開始指示信号を前記駆動制御手段に対して与える際に、前記記録部より読み出した前記光ディスク情報を前記開始指示信号に含めて前記駆動制御手段に与え、前記開始指示信号を与えられた前記駆動制御手段が、前記開始指示信号より抽出した前記光ディスク情報に基づいて前記光ディスク駆動手段の制御を行うことを特徴としている。
【００２３】
これによると、光ディスク情報受付部は、外部より受け付けた光ディスク情報を、メモリ等の記録部に一時的に記録する。そして制御部（＝マイクロコンピュータ）が、ドライブ制御部に対してスピンアップコマンド（＝開始指示信号）を送信する際に、スピンアップコマンドの内部に光ディスク情報を含めて送信する。スピンアップコマンドを受けたドライブ制御部は、スピンアップコマンドに含まれる光ディスク情報を用いて、光ディスクドライブに装着されている光ディスクの種別及び記録状態を確定して、光ディスクの立ち上げ処理、記録処理、或いは再生処理等の各種処理を行う。
【００２４】
また上記目的を達成するために本発明の光ディスク装置は、指示コードを送信するリモコン装置及び前記指示コードを受信するリモコン受信手段を備え、前記リモコン装置が、前記光ディスク情報の内容を指定するためのスイッチ群を備え、前記スイッチ群により指定された前記光ディスク情報を前記指示コードに含めて送信し、前記指示コードを受信した前記リモコン受信手段が、前記指示コードに含まれる前記光ディスク情報を抽出して前記ディスク情報受付手段に与えることを特徴としている。
【００２５】
これによると、光ディスク装置が備えるリモコン装置が、光ディスクの種別及び記録状態を指定するためのスイッチ群を備えている。ユーザはこのスイッチ群を操作することにより、光ディスクの種別及び記録状態を指定する。指定に基づき作成された光ディスク情報は、リモコンコード（＝指示コード）の一部に格納されて、光ディスク装置のリモコン受信部（＝リモコン受信手段）に送信される。リモコン受信部は、受信したリモコンコードから光ディスク情報を抽出して、ディスク情報受付部に与える。
【００２６】
また上記目的を達成するために本発明の光ディスク装置は、前記駆動制御手段が、前記光ディスク情報受付手段より与えられた或いは前記開始指示信号より抽出した前記光ディスク情報と、光ディスクの管理情報記録領域より読み出した前記光ディスク情報とが一致するかを判定し、一致すると判定された場合において、前記駆動制御手段が、一致した前記光ディスク情報に基づいて前記光ディスク駆動手段の制御を行い、一致しないと判定された場合において、前記駆動制御手段が、光ディスクの反射率、サイズ、或いは記録形状をもとに前記光ディスク情報を特定し、特定した前記光ディスク情報と前記管理情報記録領域より読み出した前記光ディスク情報とに基づいて前記光ディスク駆動手段の制御を行うことを特徴としている。
【００２７】
これによると、スピンアップコマンドを受けたドライブ制御部が光ディスクのマウント処理を行う際に、光ディスク情報受付部から与えられた光ディスク情報、或いは制御部から受信したスピンアップコマンドに含まれていた光ディスク情報と、ドライブ制御部が光ディスクのＬｅａｄ−ｉｎ領域（＝管理情報記録領域）より読み出した光ディスク情報とを比較し、各光ディスク情報が一致するかどうかの判定を行う。一致する場合は、一致した光ディスク情報を用いてその後の制御、例えばデータ読み込み処理等を行う。一致しない場合は、光ディスクの反射率、サイズ、或いは記録形状等をもとに光ディスク情報を取得する。そして取得した光ディスク情報と、Ｌｅａｄ−ｉｎ領域より読み出した光ディスク情報とが一致するまで、光ディスク情報の取得処理を所定回数だけ繰り返して行う。
【発明の効果】
【００２８】
本発明によれば、外部より受け付けた光ディスク情報を用いて、光ディスクドライブに装着されている光ディスクの種別及び記録状態を確定して、記録処理或いは再生処理等の各種処理を行う。このため、ディスク調整によるディスク種別及び記録状態（ブランク／未ファイナライズ／ファイナライズ済み）の判定処理を省略することができる。具体的には例えば、光ディスクがＢＤ−Ｒメディアである場合において、ＴＤＭＡ領域に存在するＴＤＭＡアクセスインジケータのチェック処理を省略することができる。また、光ディスク情報がブランクディスクを示すものである場合において、ＤＭＡ領域のチェック処理を省略することができる。従ってディスクマウント時間が短縮され、記録、再生処理等を行う際のユーザの待ち時間を軽減することができる。
【００２９】
また本発明によれば、光ディスク情報受付部は、外部より受け付けた光ディスク情報を、メモリ等の記録部に一時的に記録する。そして制御部が、ドライブ制御部に対してスピンアップコマンドを送信する際に、スピンアップコマンドの内部に光ディスク情報を含めて送信する。このため、受け付けた光ディスク情報の送受信を行うためのコマンドを新規に追加する必要がなく、従来の構成を大幅に変更することなく光ディスク情報の伝達を行う構成を実現することが可能である。
【００３０】
また本発明によれば、リモコン装置が、光ディスクの種別及び記録状態を指定するためのスイッチ群を備えている。ユーザはこのスイッチ群を操作することにより、光ディスクの種別及び記録状態を指定する。指定された内容は、リモコンコードに格納されて送信される。このため、ユーザはスイッチ群の操作のみで容易に光ディスクの指定を行うことができる。また、一度スイッチ群の設定を行った後、再度スイッチ群の設定を行うまでは同一のリモコンコードが送信される。このためユーザは、装着されている光ディスクの種別或いは記録状態が変わらない限り、スイッチ群に対する操作を行う必要がなく、作業負担を軽減することができる。
【００３１】
また本発明によれば、ドライブ制御部が光ディスクのマウント処理を行う際に、情報受付部により取得された光ディスク情報と、ドライブ制御部が光ディスクのＬｅａｄ−ｉｎ領域より読み出した光ディスク情報とを比較し、光ディスク情報が一致するかどうかの判定を行う。このため、例えばユーザにより指定された光ディスクの種別或いは記録状態が間違っていた場合においても、光ディスクの各種調整を行うことにより、正しい種別或いは記録状態を取得してマウント処理を行うことが可能である。
【発明を実施するための最良の形態】
【００３２】
以下に本発明の実施形態を、図面を参照しながら説明する。なお、ここで示す実施形態は一例であり、本発明はここに示す実施形態に限定されるものではない。
【００３３】
〈１．内部構成について〉
図１は、本発明の一実施形態に係るＢＤプレーヤ１（＝光ディスク装置）を示す構成図である。ＢＤプレーヤ１は、少なくとも、制御部１１（＝マイクロコンピュータ）、メモリ１２（＝記録部）、光ディスクドライブ１３（＝光ディスク駆動手段）、リモコン受信部１４（＝リモコン受信手段）、操作ボタン群１５、光ディスク情報受付部１６（＝光ディスク情報受付手段）、ドライブ制御部１７（＝駆動制御手段）、フロントパネル１８、再生信号制御部２０、及びデータ出力部２１を備えている。
【００３４】
制御部１１は、ＢＤプレーヤ１の各部を制御することにより画像情報処理、例えばコンテンツの録画或いは再生等を統括制御するためのものであり、例えば複数のマイクロプロセッサから構成されている。また制御部１１は、各装置（例えば光ディスクドライブ１３等）の制御やデータの計算、加工処理等を行なう中枢部分となっている。
【００３５】
メモリ１２は、ＢＤプレーヤ１が保持する各種データを一時的に記録する媒体であり、例えば書込可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。またメモリ１２は、後述する光ディスク情報受付部１６により得られた光ディスク情報を一時的に記録する役割を持つ。
【００３６】
光ディスクドライブ１３は、ＣＤメディア、ＤＶＤメディア、或いはＢＤメディア等の光ディスクに対して光学的に各種データの読み取りを行うための光学装置である。なお、光ディスクには複数の規格が存在するため、光ディスクドライブ１３の規格に応じた光ディスクを使用しなければ、各種処理（再生処理等）を行うことができない。
【００３７】
リモコン受信部１４は、外部のリモコン装置より指示コマンドを含む電波であるリモコンコード（＝指示コード）を受信する。受信したリモコンコードより抽出された各種指示コマンドは、制御部１１、及び後述する光ディスク情報受付部１６へ送信される。
【００３８】
操作ボタン群１５は、ユーザが光ディスクの再生等の各種指示をＢＤプレーヤ１に対して行なうための入力インターフェースである。操作ボタン群１５により受け付けられた指示は、指示コマンドとして制御部１１、及び後述する光ディスク情報受付部１６へ出力される。
【００３９】
光ディスク情報受付部１６は、リモコン受信部１４及び操作ボタン群１５から受け付けた指示コマンドの中より、光ディスクドライブ１３に装着されている光ディスクに関する光ディスク情報が含まれているかの確認を行う。含まれている場合は指示コマンドより光ディスク情報を抽出し、制御部１１に送信する。
【００４０】
ドライブ制御部１７は、光ディスクドライブ１３が備える各部の駆動を制御する。これにより、例えば光ディスクドライブ１３に装着された光ディスク（不図示）に記録されている情報の読み取り処理等を統括制御する。また、光ディスクより反射率やトラックの形状、記録面に記録されている識別情報等から各種情報を取得することにより、装着されている光ディスクの種別を判別する。なお、判別処理の詳細については後述する。
【００４１】
フロントパネル１８は、ＢＤプレーヤ１が保持する各種情報を、液晶パネル等を用いてユーザに対して表示する表示部である。
【００４２】
再生信号制御部２０は、光ディクスから読み出された動画データ或いは音声データを伸長して画像信号或いは音声信号を生成する。生成された各種信号は、例えば後述するデータ出力部２１等を用いて外部装置に対して出力される。
【００４３】
データ出力部２１は、例えばモニタなどの外部装置に対して動画データ及び音声データを出力するための出力インターフェースである。なお、例えば出力先の機器がアナログインタフェースしか備えていない場合は、Ｄ／Ａコンバータ（Digital Analog Converter）を用いてデジタルの動画データ及び音声データをアナログデータに変換して出力することが可能である。
【００４４】
リモコン装置２２は、ユーザが光ディスクの再生等の各種操作をＢＤプレーヤ１に対して遠隔的に行うための入力インターフェースである。リモコン装置２２が検知したユーザ操作はリモコンコードに変換され、赤外線信号等によりリモコン受信部１４に送信される。またリモコン装置２２には、光ディスクの種別及び記録状態を指定するためのディスクスイッチが備えられている。なお、リモコン装置２２の詳細については後述する。
【００４５】
〈２．リモコン装置について〉
ここで、本発明の一実施形態に係るＢＤプレーヤ１が備えるリモコン装置２２の詳細について、図３のブロック図および図４のテーブル図を用いながら説明する。
【００４６】
図３は、本発明のＢＤプレーヤ１のリモコン装置２２が備えるディスクスイッチの一例を示したブロック図である。図３に示す例では、ＤｉｓｃＳＷ１、ＤｉｓｃＳＷ２、及びＤｉｓｃＳＷ３の三つのディスクスイッチが、リモコン装置２２に備えられている。ＤｉｓｃＳＷ１及びＤｉｓｃＳＷ２は光ディスクの種別を指定するためのものである。ＤｉｓｃＳＷ３は、光ディスクの記録状態を指定するためのものである。
【００４７】
ＤｉｓｃＳＷ１は光ディスクの種別を指定するためのものである。図３の例では、Ｎ（＝指定無し）、ＢＤ、ＨＤＤＶＤ、ＤＶＤ＋、ＤＶＤ−、ＤＶＤ−ＲＡＭ、ＣＤの七種類のディスク種別が選択できるようになっている。ユーザはＤｉｓｃＳＷ１を左右に移動させることにより、ディスク種別の指定を行うことが出来るようになっている。
【００４８】
ＤｉｓｃＳＷ２は、ＤｉｓｃＳＷ１で指定される光ディスクの種別を更に細かく指定するためのものである。図３の例では、Ｎ（＝指定無し）、ＲＯＭ、Ｒ、ＲＥ（ＲＷ）の四種類のディスク種別が選択できるようになっている。例えばＤｉｓｃＳＷ１によりＢＤが、ＤｉｓｃＳＷ２によりＲが指定されている場合は、両ディスクスイッチの組み合わせによりＢＤ−Ｒが指定されたこととなる。
【００４９】
ＤｉｓｃＳＷ３は、光ディスクの記録状態を指定するためのものである。図３の例では、Ｂｌａｎｋ（＝ブランクディスク）、未Ｆｉｎａｌｉｚｅ（＝記録済み且つ未ファイナライズディスク）、Ｆｉｎａｌｉｚｅ（ファイナライズ済みディスク）の三種類の状態が選択できるようになっている。
【００５０】
上記ＤｉｓｃＳＷ１〜ＤｉｓｃＳＷ３による指定に基づいて作成されるリモコンコードの一例を、図４を用いて説明する。図４に示すテーブル図では、列αがＤｉｓｃＳＷ１によって指定されるディスク種別を、列βがＤｉｓｃＳＷ２によって指定されるディスク種別を、列γがリモコンコードを二進数表記した値を表している。
【００５１】
このうち、列γのリモコンコードの下位６ビットは、ＤｉｓｃＳＷ１及びＤｉｓｃＳＷ２により指定されるディスク種別に対応する値となっている。そして上位２ビットは、ＤｉｓｃＳＷ３により指定される記録状態を示す値となっている。図４に示す例では上位２ビットは全て「００」（＝ブランクディスク）を示しているが、この部分が「０１」の場合は未ファイナライズディスクを、「１１」の場合はファイナライズ済みディスクを示すリモコンコードとなる。
【００５２】
例えば未ファイナライズＤＶＤ＋Ｒであれば、図４のテーブル五行目より、下位６ビットが「０００１００」となる。また上位２ビットが「０１」となるため、発行されるリモコンコードは「０１０００１００」となる。なお、上記のリモコンコードをＢＤプレーヤ１に対して送信するタイミングとしては、例えばＢＤプレーヤ１に対して電源起動コマンド、或いは再生指示コマンド等を発行する際に同時に発行する方法等が考えられる。
【００５３】
〈３．スピンアップコマンドについて〉
ここで、本発明の一実施形態に係るＢＤプレーヤ１の制御部１１が、上記リモコンコードに基づいて、ドライブ制御部１７に対して発行するスピンアップコマンド（＝開始指示信号）の詳細について、図５の模式図を用いながら説明する。
【００５４】
図５は、ＡＴＡＰＩコマンドの規格書（ｍｍｃ５等）で定義されているスピンアップコマンド（Ｓｔａｒｔ／Ｓｔｏｐ  Ｕｎｉｔコマンド）である。スピンアップコマンドは、光ディスクドライブ１３に装着された光ディスクのマウント処理（＝光ディスクに対する読み込み、或いは書き込み等のディスクアクセスが可能である状態にするための処理）を指示するコマンドである。
【００５５】
スピンアップコマンドを受信したドライブ制御部１７は、光ディスクドライブ１３に備えられた送りモータ（不図示）及びスピンドルモータ（不図示）の駆動を行い、光ピックアップ等を用いてディスクの反射率、サイズ、記録形状等の情報を取得する。この情報をもとに光ディスクの種別を判別した後、サーボ制御を開始し、ディスク内周にあるＬｅａｄ−ｉｎ領域からディスク情報を示すＤＩ（＝Ｄｉｓｋ  Ｉｎｆｏｍａｔｉｏｎ）を読み出す。そして読み出したＤＩに含まれるディスク種別と、先に光ピックアップ等を用いて取得したディスク種別とが一致するかの判定を行い、一致する場合にディスク種別を確定する。その後、光ピックアップによる光ディスクのアドレス情報読み込みが開始され、ディスクアクセスが可能となる。
【００５６】
スピンアップコマンドには複数のリザーブ領域（＝未使用領域、図中では「Ｒｅｓｅｒｖｅｄ」で示される領域）が存在する。これは規格上未使用の領域であり、任意の値を格納することが可能である。図５（ａ）に示す例では、Ｂｙｔｅ２（図中の上から三行目）のリザーブ領域に本発明の光ディスク指定パラメータ（＝光ディスクの種別及び記録状態を指定するための値）を格納するものとする。
【００５７】
図５（ｂ）のテーブル図は、上記リザーブ領域に格納する光ディスク指定パラメータの一例を示したものである。テーブルの左端列にディスク種別が、最上行に光ディスク記録状態が示されており、この二つの要素を指定することにより、光ディスク指定パラメータが決定される。
【００５８】
なお、光ディスク指定パラメータの値は図４に示すリモコンコードと同じ値を用いることが望ましい。このため、図５（ｂ）の各パラメータの値は、図４のリモコンコードと同じ値を１６進数表記したものとしている。例えばディスクスイッチによる指定が「ＢＤ−Ｒ、未ファイナライズ」である場合、図４よりリモコンコードは「０１００００１０」であり、また図５より光ディスク指定パラメータは「４１」（２進数表記にすると「０１００００１０」）である。この値がスピンアップコマンドのＢｙｔｅ２に格納されるため、スピンアップコマンド全体の値を１６進数表記すると「１Ｂ００４１０００１００００００」となる。
【００５９】
〈４．種別／記録状態判定処理について〉
ここで、本発明の一実施形態に係るＢＤプレーヤ１が備える光ディスクの種別／記録状態判定処理について、図１のブロック図と、図５のフロチャートと、図６〜図１０のブロック図とを用いながら説明する。
【００６０】
図５は、本発明のＢＤプレーヤ１が備える光ディスクドライブ１３に対してＢＤメディア（不図示）が装着された場合の、ドライブ制御部１７が行うＢＤメディアのマウント処理の流れを示した処理フロー図である。ＢＤメディアのマウントを検知した制御部１１が、ドライブ制御部１７に対してスピンアップコマンドを送信することにより、本処理が開始される。なお、光ディスクドライブ１３にＣＤメディア、或いはＤＶＤメディア等のＢＤ以外の光ディスクが装着された場合の処理については、ここでは説明を省略する。
【００６１】
スピンアップコマンドを受信したドライブ制御部１７は、ステップＳ１１０において、スピンアップコマンドの予め定められたリザーブ領域（例えば図５（ａ）のＢｙｔｅ２）に、光ディスク指定パラメータが格納されているかどうかの判定を行う。
【００６２】
格納されていない場合、ドライブ制御部１７はステップＳ１２０において、光ディスクに対する各種調整を行い光ディスクの種別を取得する。各種調整とは、例えばディスクの反射率、或いは情報記録面のｗｏｂｂｌｅ（蛇行）の有無等を検出し、その結果によって種別を取得する。なお、具体的な取得処理方法については従来技術と同様であるため、ここでは説明を省略する。逆に格納されている場合は、ステップＳ１２５において、格納されている光ディスク指定パラメータから種別および記録状態を取得する。
【００６３】
次にドライブ制御部１７は、ステップＳ１３０において、光ディスクのＰＩＣ領域からＤＩの読み出しを行う。ＰＩＣ領域は、図７（ａ）に示すように、Ｌ０（レイヤー０、つまり第一層）のＬｅａｄ−ｉｎ領域に存在する領域であり、光ディスクの種別、サイズ、一層／二層の指定等を示したディスク情報を記録する領域である。この領域から読み出したＤＩをもとにドライブ制御部１７は、ステップＳ１４０において、ディスク種別の確定を行う。
【００６４】
次にドライブ制御部１７は、ステップＳ１５０において、ステップＳ１２５で取得した光ディスクの記録状態が、ブランクディスクを示すものであるかどうかの判定を行う。ブランクディスクであると判定された場合、ステップＳ１５５において、装着されている光ディスクがブランクディスクであることを確定したのち、後述するステップＳ２３０に移行する。
【００６５】
逆にステップＳ１２５で取得した光ディスクの記録状態がブランクディスクを示すものではなかった場合、或いはステップＳ１２５の処理を行っていない場合、ドライブ制御部１７がステップＳ１６０において、ＤＩに含まれるディスク種別と、ステップＳ１２０で取得されたディスク種別、或いはステップＳ１２５でディスク指定パラメータより取得したディスク種別とが一致するかの判定を行う。これは、ユーザより与えられたディスク指定パラメータが常に正しいとは限らず、その確認を行う必要があるためである。一致しない場合、ステップＳ１２０に移行し、再びドライブ制御部１７はディスク種別の取得処理を行う。一致する場合は、ドライブ制御部１７はステップＳ１７０において、一致した種別がＢＤ−ＲＥであるかどうかの判定を行う。
【００６６】
ステップＳ１７０においてＢＤ−ＲＥであると判定された場合、後述するステップＳ１８０に移行する。逆にステップＳ１７０においてＢＤ−ＲＥではないと判定された場合、ドライブ制御部１７はステップＳ１７１において、ステップＳ１６０で一致した種別がＢＤ−Ｒであるかどうかの判定を行う。
【００６７】
ステップＳ１７１においてＢＤ−Ｒであると判定された場合、ドライブ制御部１７はステップＳ１７２において、ステップＳ１２５で取得した光ディスクの記録状態がファイナライズ済みを示すものであるかどうかの判定を行う。逆にステップＳ１７１においてＢＤ−Ｒでない判定された場合、ドライブ制御部１７はディスク種別をＢＤ−ＲＯＭに確定し、後述するステップＳ２２０に移行する。
【００６８】
ステップＳ１７２において、ステップＳ１２５で取得した記録状態がファイナライズ済みであると判定された場合、後述するステップＳ１８０に移行する。逆にステップＳ１７２において、ステップＳ１２５で取得した記録状態がファイナライズ済みではないと判定された場合、或いはステップＳ１２５を実行していないと判定された場合、ドライブ制御部１７はステップＳ１７３において、光ディスクの記録状態を判別するために、ＴＤＭＡ０に存在するＴＤＭＡアクセスインジケータを参照する。
【００６９】
ここで図６〜図９のブロック図を用いて、ＤＭＡ（Ｄｅｆｅｃｔ  Ｍａｇｅｍｅｎｔ  Ａｒｅａ）領域及びＴＤＭＡ（Ｔｅｍｐｏｒａｒｙ  Ｄｅｆｅｃｔ  Ｍａｇｅｍｅｎｔ  Ａｒｅａ）領域の構造について説明する。図６（ａ）は記録面が一層構造になっているＢＤメディア（＝一層メディア）の記録領域を模式的に表したブロック図である。また図６（ｂ）は記録面が二層構造になっているＢＤメディア（＝二層メディア）の記録領域を模式的に表したブロック図である。なお図６（ｂ）のＬ０（＝レイヤー０）は記録面第一層を、Ｌ１（＝レイヤー１）は記録面第二層を示している。
【００７０】
一層ディスクは、Ｌｅａｄ−ｉｎ領域（図６（ａ）のＬｅａｄ−ｉｎ  Ｚｏｎｅ）、データ領域（＝情報記録領域、図６（ａ）のＤａｔａ  Ｚｏｎｅ）、Ｌｅａｄ−ｏｕｔ領域（図６（ａ）のＬｅａｄ−ｏｕｔ  Ｚｏｎｅ）の三つの領域からなる構成をしている。また二層ディスクのＬ０はＬｅａｄ−ｉｎ領域（図６（ｂ）のＬｅａｄ−ｉｎ  Ｚｏｎｅ）、データ領域０（図６（ｂ）のＤａｔａ  Ｚｏｎｅ０）、アウター領域０（図６（ｂ）のＯｕｔｅｒ  Ｚｏｎｅ０）の三つの領域からなる構成をしている。また二層ディスクのＬ１はＬｅａｄ−ｏｕｔ領域（図６（ｂ）のＬｅａｄ−ｏｕｔ  Ｚｏｎｅ）、データ領域１（図６（ｂ）のＤａｔａ  Ｚｏｎｅ１）、アウター領域１（図６（ｂ）のＯｕｔｅｒ  Ｚｏｎｅ１）の三つの領域からなる構成をしている。
【００７１】
図７は、二層ディスクのＬｅａｄ−ｉｎ領域、Ｌｅａｄ−ｏｕｔ領域、及びアウター領域の内部構造を示したものである。図７（ａ）はＬ０のＬｅａｄ−ｉｎ領域を、図７（ｂ）はＬ０のアウター領域０を、図７（ｃ）はＬ１のアウター領域１を、図７（ｄ）はＬ１のＬｅａｄ−ｏｕｔ領域の内部構造を示している。なお、Ｌ０とＬ１とで同名の領域が複数存在するもの（例えばＤＭＡ１等）には、同じ情報が格納される。
【００７２】
図７に示すようにＤＭＡ領域は、Ｌｅａｄ−ｉｎ領域、Ｌｅａｄ−ｏｕｔ領域、アウター領域にそれぞれ分散して複数（例えばＤＭＡ１領域〜ＤＭＡ４領域）存在する。ＤＭＡ領域には、主にＤＦＬ（Ｄｅｆｅｃｔ  Ｌｉｓｔ−欠陥クラスタのアドレスと、その内容を置き換えたクラスタのアドレスとの対応情報）等が記録される。また、データエリアのＳＲＲ（ＣＤのトラックに相当）毎の最終記録済みアドレスなどが記録される。ＢＤ−Ｒメディアにおいては、ファイナライズ時にＤＦＬがＤＭＡ領域に書き込まれる。ファイナライズ前は、ＤＦＬはＴＤＭＡ領域に記録される。
【００７３】
ＴＤＭＡ領域は、図６に示すＬｅａｄ−ｉｎ領域、データ領域、及びＬｅａｄ−ｏｕｔ領域にそれぞれ分散して複数存在する。なお一層メディアと二層メディアとでは、存在するＴＤＭＡ領域の数が異なる。ＴＤＭＡ領域は、一層メディアであればＴＤＭＡ０〜ＴＤＭＡ２の３つの領域が存在する。また二層メディアであればＴＤＭＡ０〜ＴＤＭＡ５の６つの領域が存在する。ＴＤＭＡ０から順番に利用され、ＴＤＭＡ２（二層メディアの場合はＴＤＭＡ５）の容量が無くなるまで利用可能である。
【００７４】
ＴＤＭＡ領域はディスク上に散在しているため、どこに最新のＤＦＬが存在するかを知るために、ＴＤＭＡアクセスインジケータという領域が用いられる。これはＴＤＭＡ０の先頭３クラスタ（二層メディアの場合は先頭６クラスタ）に存在する。図８は、ＴＤＭＡ０の構成を示したブロック図である。図８（ａ）は一層メディアのＴＤＭＡ０の構成を示している。図中の先頭３クラスタである［ＤＭＡ］、［ＴＤＭＡ２］、［ＴＤＭＡ１］がＴＤＭＡアクセスインジケータである。また図８（ｂ）は二層メディアのＴＤＭＡ０の構成を示している。図中の先頭６クラスタである［ＤＭＡ］、［ＴＤＭＡ５］〜［ＴＤＭＡ１］がＴＤＭＡアクセスインジケータである。
【００７５】
アクセスインジケータは、インジケータに対応する領域（［ＤＭＡ］であればＤＭＡ領域）に最新のＤＦＬが記録されていることを示すためのフラグとして用いられる領域である。なおアクセスインジケータ領域には、最新のＴＤＤＳデータが３２回繰り返して記録される。
【００７６】
このアクセスインジケータ領域は、ＤＦＬを記録するＴＤＭＡ０本体部とは異なる役割を持つ。最新のＤＦＬがどこに存在するかのチェック処理においては、［ＤＭＡ］、［ＴＤＭＡ２］、［ＴＤＭＡ１］の順（二層メディアの場合は［ＤＭＡ］、［ＴＤＭＡ５］〜［ＴＤＭＡ１］の順）にＲＦ信号の有無（つまり記録済みであるかどうか）の確認が行われる。この処理を、図９を用いて説明する。
【００７７】
図９は、一層構造のＢＤ−ＲメディアにおけるＴＤＭＡ領域及びＤＭＡ領域の読み込み処理を模式的に表したブロック図である。なお、二層構造のＢＤ−Ｒメディアにおける上記処理については、ＴＤＭＡ領域及びアクセスインジケータ領域の領域数が異なることを除けば同様の処理内容であるため、ここでは説明を省略する。
【００７８】
図９（ａ）に示すように、アクセスインジケータの先頭クラスタ（［ＤＭＡ］）が記録済みである場合は、ＤＭＡ領域に最新のＤＦＬが記録されていると判断し、ＤＭＡ領域よりＤＦＬの読み込みを行う。ＤＭＡ領域の読み込みに成功した場合、このＢＤメディアはファイナライズ済みであると判断される。
【００７９】
図９（ｂ）に示すように、第２クラスタ（［ＴＤＭＡ２］）が記録済みである場合は、ＴＤＭＡ２に最新のＤＦＬが記録されていると判断し、ＴＤＭＡ２よりＤＦＬの読み込みを行う。ＴＤＭＡ２の読み込みに成功した場合、このＢＤメディアは記録済みだが未ファイナライズ状態であると判断される。
【００８０】
図９（ｃ）に示すように、３クラスタ全てが未記録である場合は、ＴＤＭＡ０に最新のＤＦＬが記録されているかどうかの確認を行う。ＴＤＭＡ０の読み込みに成功した場合、このＢＤメディアは記録済みだが未ファイナライズ状態であると判断される。逆にＴＤＭＡ０が未記録である場合、このＢＤメディアはブランクディスクであると判断される。
【００８１】
以上の処理により光ディスクの記録状態を判別した後、ドライブ制御部１７はステップＳ１７４において、判別結果が記録済みを示すものであるかどうかの判定を行う。記録済みではない、つまり上記処理においてアクセスインジケータ及びＴＤＭＡ０が未記録である場合、ドライブ制御部１７はステップＳ１７５において、光ディスクの種別及び記録状態をブランクＢＤ−Ｒメディアであると確定した後、後述するステップＳ２２０に移行する。逆に記録済みである場合、ドライブ制御部１７はステップＳ１７６において、ファイナライズ済みであるかどうかの判定を行う。
【００８２】
ステップＳ１７６において、ファイナライズ済みであると判定された場合、後述するステップＳ１８０に移行する。逆にステップＳ１７６において、ファイナライズ済みではないと判定された場合、ドライブ制御部１７はステップＳ１７７において、光ディスクの種別及び記録状態を未ファイナライズＢＤ−Ｒメディアであると確定した後、後述するステップＳ２２０に移行する。
【００８３】
以上の処理により、ステップＳ１７０において光ディスクの種別及び記録状態がＢＤ−ＲＥであると確定された場合、或いはステップＳ１７２において光ディスクの種別及び記録状態がファイナライズ済みＢＤ−Ｒであると確定された場合、或いはステップＳ１７６において光ディスクの種別及び記録状態がファイナライズ済みＢＤ−Ｒであると確定された場合、ドライブ制御部１７はステップＳ１８０において、ＤＭＡ１〜ＤＭＡ４の記録状態の確認を行う。なお、ディスク種別がＢＤ−ＲＥである場合は、図１０に示すようにＤＭＡ領域は一つしか存在しないため、ＤＭＡ領域の記録状態の確認のみを行う。
【００８４】
次にドライブ制御部１７はステップＳ１９０において、ＤＭＡ１〜ＤＭＡ４（ＢＤ−ＲＥの場合はＤＭＡ）が記録済みであるかどうかの判定を行う。判定の結果、ＤＭＡ１〜ＤＭＡ４（ＢＤ−ＲＥの場合はＤＭＡ）が未記録であると判定された場合、ドライブ制御部１７はステップＳ１５５において、装着されている光ディスクがブランクディスクであることを確定したのち、後述するステップＳ２３０に移行する。逆に記録済みである場合、ドライブ制御部１７はステップＳ２００において、ＤＭＡ１〜ＤＭＡ４（ＢＤ−ＲＥの場合はＤＭＡ）からＤＦＬを読み出してメモリ１２に記録する。
【００８５】
次にドライブ制御部１７はステップＳ２１０において、ステップＳ２００の読み出し処理が成功したかどうかの判定を行う。読み出し処理に失敗した場合、ドライブ制御部１７はステップＳ１５５において、装着されている光ディスクがブランクディスクであることを確定したのち、後述するステップＳ２３０に移行する。読み出し処理が成功した場合、ドライブ制御部１７はステップＳ２２０において、Ｌｅａｄ−ｉｎ領域、或いはＬｅａｄ−ｏｕｔ領域に存在するＰＡＣ領域（図７参照）から、ＰＡＣ情報（＝光ディスク上におけるアクセス可能／不可能領域の区分けを示す情報）を読み出す。
【００８６】
次にドライブ制御部１７はステップＳ２３０において、Ｌｅａｄ−ｉｎ領域に存在するＢＣＡ領域（図７参照）から、ＢＣＡ情報を読み出してメモリ１２に記録する。なおＢＣＡ情報とは、光ディスクに関する情報であり、サーボの特性、ディスク種別、サイズなどが含まれており、主にマウント時間の短縮のために用いられる情報である。以上により、スピンアップ処理が完了する。
【００８７】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００８８】
従って本発明は、以下の形態にも適用可能である。
（Ａ）本実施形態では、ディスク指定パラメータを格納するコマンドとしてスピンアップコマンドを用いているが、これ以外のコマンドのリザーブ領域にディスク指定パラメータが格納されて、ドライブ制御部１７に対して送信される形態でもよい。
【００８９】
（Ｂ）本実施形態では、処理中再生機能に関わる各種機能部（例えばドライブ制御部１７等）がそれぞれ独立して存在しているが、これらの機能部と同等の機能が、マイクロプロセッサ等の一つの演算処理装置上でプログラムを実行することにより実現されることによって実現される形態でもよい。或いは各機能部が複数の回路により実現される形態でもよい。
【００９０】
（Ｃ）本実施形態では、光ディスク装置の具体例としてＢＤプレーヤ１を例として説明したが、これ以外の光ディスク装置において本発明の処理中再生機能が用いられたとしても、同様の効果が得ることができる。例えば、ＨＤＤレコーダ、ＤＶＤレコーダ、ＤＶレコーダ、パソコン、或いはデジタルビデオカメラ等において用いられる形態でもよい。
【００９１】
（Ｄ）本実施形態では、光ディスク情報受付部１６がＢＤプレーヤ１の内部に備わっている構成を例として説明したが、ディスク情報受付部１６が備える機能の一部或いは全部がネットワークを介して接続された外部装置により実現される形態であってもよい。例えば、光ディスク情報受付部１６がネットワーク上のサーバに存在し、ユーザはインターネット等の通信ネットワークを用いて光ディスク情報受付部１６に対して光ディスクの種別或いは記録情報を送信する形態でもよい。
【００９２】
（Ｅ）本実施形態では、種別および記録状態をする装置としてＤｉｓｋＳＷ１〜ＤｉｓｋＳＷ３を備えたリモコン装置２２を例として説明したが、これ以外の入力装置により種別及び記録状態を指定する構成であってもよい。例えばボタン式のリモコンではなく液晶タッチパネルを用いた操作盤や、或いはリモコンのような遠隔操作装置ではなく、光ディスク装置の本体部に備え付けられた操作ボタン群１５を、種別及び記録状態の指定を行うための部材として用いる構成でもよい。
【００９３】
（Ｆ）本実施形態では、図９に示すように再生を行うＢＤ−Ｒメディアとして一層構造のＢＤ−Ｒメディアを用いて説明を行っているが、二層構造のＢＤ−Ｒメディアを用いた構成であっても、同様の作用及び効果を得ることができる。
【図面の簡単な説明】
【００９４】
【図１】は、本発明の一実施形態に係る光ディスク装置を示す構成図である。
【図２】は、本発明の一実施形態に係るスピンアップ処理の処理フローを示したフロー図である。
【図３】は、本発明の一実施形態に係るリモコン装置を示す構成図である。
【図４】は、本発明の一実施形態に係るリモコンコードを示すテーブル図である。
【図５】は、本発明の一実施形態に係るスピンアップコマンドを示すデータ構成図及びテーブル図である。
【図６】は、ＢＤ−Ｒメディアの情報記録領域を示すデータ構成図である。
【図７】は、二層構造のＢＤ−ＲメディアのＬｅａｄ−ｉｎ領域及びアウター領域の構成を示すデータ構成図である。
【図８】は、ＢＤ−ＲメディアのＴＤＭＡ０領域を示すデータ構成図である。
【図９】は、一層構造のＢＤ−ＲメディアのＴＤＭＡ領域及びＤＭＡ領域の関係を示すデータ構成図である。
【図１０】は、ＢＤ−ＲＥメディアのＤＭＡ領域を示すデータ構成図である。
【符号の説明】
【００９５】
１      ＢＤプレーヤ（光ディスク装置）
１１    制御部（マイクロコンピュータ）
１２    メモリ（記録部）
１３    光ディスクドライブ（光ディスク駆動手段）
１４    リモコン受信部（リモコン受信手段）
１６    光ディスク情報受付部（光ディスク情報受付手段段）
１７    ドライブ制御部（駆動制御手段）
２２    リモコン装置
【図１】
2008140495.tif 000003
【図２】
2008140495.tif 000004
【図３】
2008140495.tif 000005
【図４】
2008140495.tif 000006
【図５】
2008140495.tif 000007
【図６】
2008140495.tif 000008
【図７】
2008140495.tif 000009
【図８】
2008140495.tif 000010
【図９】
2008140495.tif 000011
【図１０】
2008140495.tif 000012